(57)【要約】【課題】できるだけ吸水パッドの吸水保水容量を大きくし、しかもコストを低減できるようにしたボトム下着を提供することである。【解決手段】筒状胴部１１とクロッチ部１２から成るボトム下着１０において、前記クロッチ部１２の内面のほぼ全面にわたって吸水パッド２０を取り付け、この吸水パッド２０の外周縁を防水テープで封止したのである。【選択図】図１
0003150988.tif 000002
【実用新案登録請求の範囲】
【請求項１】
筒状胴部とその下部に人体の股下部に対応するクロッチ部を有し、このクロッチ部の両側に脚挿入用開口を設け、前記クロッチ部内面に吸水パッドを取り付けたボトム下着において、前記吸水パッドは前記クロッチ部内面をほぼ全面にわたって拡がるように設けられたことを特徴とするボトム下着。
【請求項２】
前記吸水パッドは、吸水保水層の一面に透水層、他面に防水層を設け、外周全周を防水帯で取り囲んで封止した積層体より成り、前記透水層を股下部に対向させて前記防水帯をクロッチ部に固着した請求項１に記載のボトム下着。
【請求項３】
前記防水帯は、透水層の周縁に縫着した防水テープを前記防水層の周縁部に融着して形成した請求項２に記載のボトム下着。
【請求項４】
前記脚挿入用開口の周縁全周はパワーの比較的強い弾性帯によって縁取りされ、この弾性帯はクロッチ部側縁に対応する部分で前記吸水パッドの防水帯と接続され、吸水パッドを股下部に密着させるようにした請求項２または３に記載のボトム下着。
【請求項５】
前記防水帯の巾が約５ｍｍ〜１２ｍｍである請求項２〜４のいずれかに記載のボトム下着。
【請求項６】
前記弾性帯の巾が約２０ｍｍ〜３０ｍｍである請求項４に記載のボトム下着。
【考案の詳細な説明】
【技術分野】
【０００１】
この考案は、ボトム下着、特に女性用失禁ショーツに好適なボトム下着に関する。
【背景技術】
【０００２】
この種のボトム下着には、一般にクロッチ部に吸水性シートまたはパッドを設け、これによって尿等を吸収して尿漏れを防止するのが普通である。そのため、この吸水性パッドに実に様々な工夫がこらされているが、最大の目的は、ショーツ外部への尿漏れをいかにして防ぐかということである。そこで、吸水パッドをできるだけ大形にすることが考えられる。しかしながら、吸水パッドを大形にすれば、コストが上昇する問題がある。
【考案の概要】
【考案が解決しようとする課題】
【０００３】
この考案の課題は、できる限り吸水シートまたはパッドの保水容量を大きくし、しかもコストを安くできるようにすることである。
【課題を解決するための手段】
【０００４】
上記の課題を解決するために、この考案は、筒状胴部の下部に設けたクロッチ部に吸水パッドを取り付けたボトム下着において、前記吸水パッドをクロッチ部内面のほぼ全面にわたって設けたことを特徴とする。この吸水パッドは、吸水保水層の一面に透水層、他面に防水層を設け、外周全周を防水帯で取り囲んで封止した積層体より成り、前記透水層を股下部に対向させて前記防水帯をクロッチ部に固着したものである。また、この防水帯は、透水層の周縁に縫着した防水テープを前記防水層の周縁部に融着して形成されている。
【０００５】
前記クロッチ部の両側には、一対の脚挿入用開口が設けられ、この開口の周縁全周をパワーの比較的強い弾性帯によって縁取りし、この弾性帯のクロッチ部側縁に対向する部分で前記吸水パッドの防水帯と接続し吸水パッドを股下部にできるだけ密着させるようにしておくのがよい。この弾性帯の巾は約２０ｍｍ〜３０ｍｍが好ましい。また、防水帯の巾は約５ｍｍ〜１２ｍｍ程度がよい。
【考案の効果】
【０００６】
この考案によれば、以上のように、クロッチ部の全面に吸水パッドを設けたので、吸水保水容量が大きくなり、また吸水パッドの外周縁及び下面を防水層で被覆したので水分の遺漏を防止することができ、さらに吸水パッドの外周縁に防水帯を形成したので、熱融着等の簡単な手段だけで保水層を封止することができ、コストを削減することができる。
【図面の簡単な説明】
【０００７】
【図１】この考案のボトム下着の一例を示す正面図
【図２】同上の側面図
【図３】吸水パッドの表面の透水層を示す平面図
【図４】吸水パッドの透水層、吸水保水層、防水層の層構造を示す分解断面図
【図５】吸水パッドの断面図
【図６】吸水パッドをクロッチ部に固着した状態を示す平面図
【図７】同上の横断面図
【考案を実施するための形態】
【０００８】
以下、この考案の実施形態を添付図面に基づいて説明する。図１及び図２に示すように、ボトム下着１０は、前身頃１１ａと後身頃１１ｂを縫い目１１ｃで筒状に縫合した胴部１１と、前身頃１１ａと後身頃１１ｂの下端縁を縫い目１２ａ及び１２ｂでそれぞれ接続するクロッチ部１２より成り、胴部１１の側面からクロッチ部１２の側縁に延びる脚挿入用開口１３ａ、１３ｂが設けられ、開口１３ａ、１３ｂの周縁は、広巾の弾性帯１４ａ、１４ｂで縁取りされている。また、胴部１１の上端の装着口周縁には、ゴム紐が挿入されたウエストバンド１５が設けられている。
【０００９】
なお、前記弾性帯１４ａ、１４ｂは、人体の大腿部にぴったりと密着できるように、約２０ｍｍ〜３０ｍｍ（好ましくは約２５ｍｍ）の巾を有する比較的強いパワーをもったポリウレタン弾性糸の編成布を２重に折り畳んだテープ状のものなどから成る。これによって後述する吸水パッド２０の周縁を人体に密着させることができる。
【００１０】
前記クロッチ部１２は、人体の股下部に対応し、その内面には、吸水パッド２０がほぼ全面にわたって固着されている。この吸水パッド２０の構造を図３〜図７に基づいて説明する。まず、吸水パッド２０が直接人体に接する最内面には、図３に示すように、柔軟で接触感の良い透水性、吸水性のある編織布等から成る透水層２１が設けられている。この透水層２１は、縦長の略台形形状で、前記クロッチ部１２とほぼ相似形になっており、その周縁には、熱融着可能な防水テープ２２ａ、２２ｂ、２２ｃ、２２ｄ（テープ２２と総称する）が縫着されている。図３中、点線は縫着線を示し、まず透水層２１の前後縁に、細い縫い代でテープ２２ａと２２ｂを縫い付けた後、その上から両側縁にテープ２２ｃと２２ｄを同様に縫い付ける。こうしてテープ２２を縫い付けた全体の形状及びサイズをクロッチ部１２とほぼ同一にしておく。テープ２２の材料は、編織布に防水性を有する熱融着可能な合成樹脂を塗布したものなどがよい。また、透水層２１からの突出巾Ａは、全周にわたってほぼ同一にしておくのがよい。
【００１１】
次に、図４に示すように、前記透水層２１とほぼ相似形で透水層２１よりもサイズが大きく、テープ２２を縫い付けたものよりもサイズが小さい吸水保水層２３を防水層２４との間に挟み、周縁部を巾Ｂで帯状に高周波融着する。この巾Ｂは、図５に示すように、保水層２３が固定して収納される様に、保水層２３の外周縁が丁度突き合せられる距離とする。
【００１２】
前記保水層２３には、厚手の綿シート、不織布などの吸水性、保水性のできるだけ高いものを用いる。そして、できるだけサイズを大きくして保水容量を高める。一方、保水層２３が吸収した水分が遺漏しないように、防水テープ２２と防水層２４との融着帯の巾Ｂを定めなければならない。この巾Ｂは、約５ｍｍ〜１２ｍｍ程度が好ましく、約１０ｍｍあれば充分である。なお、防水層２４の形状及びサイズは、図３に示す透水層２１に防水テープ２２を取り付けたものとほぼ同一にしておく。防水層２４の材料には、編織布に防水性を有する熱融着性合成樹脂を塗布したものや合成樹脂フィルムなどが用いられる。勿論、前記防水テープ２２と熱融着可能でなければならない。
【００１３】
出来上がった吸水パッド２０は、ボトム下着のクロッチ部１２とほぼ同形同サイズであり、外周全周に巾Ｂで熱融着された防水性融着帯が形成されている。これを図６及び図７に示すように、防水帯の周縁でクロッチ部１２に縫着する。図示のように、このとき、同時に弾性帯１４ａ、１４ｂをクロッチ部１２の生地と防水性融着帯との間に挟み込んでおくのがよい。これによって弾性帯１４ａ、１４ｂと吸水パッド２０の側縁が全長にわたって連続することになる。また、縫い目１２ａ、１２ｂ、１２ｃ、１２ｄ以外の部分は、クロッチ部１２の生地と吸水パッド２０は遊離している。なお、前記縫い目１２ａ〜１２ｄはロックミシンによる２重縫い目がよい。
【００１４】
このボトム下着の生地は、平編地のほか、柔らかい綿パイル・ニット地などを用いることができる。また、ボトム下着の形態は、丸編機を用いた筒状地によってクロッチ部の一端のみを接続したものや、図示のような平生地を立体裁断したものなどいずれでもよく、各種の女性用失禁ショーツ、パンプス等に適用することができる。
【符号の説明】
【００１５】
１０  ボトム下着
１１  胴部
１１ａ  前身頃
１１ｂ  後身頃
１２  クロッチ部
１２ａ、１２ｂ、１２ｃ、１２ｄ  縫い目
１３ａ、１３ｂ  開口
１４ａ、１４ｂ  弾性帯
１５  ウエストバンド
２０  吸水パッド
２１  透水層
２２（２２ａ、２２ｂ、２２ｃ、２２ｄ）  防水テープ
２３  吸水保水層
２４  防水層
Ａ  突出巾
Ｂ  融着巾
【図１】
0003150988.tif 000003
【図２】
0003150988.tif 000004
【図３】
0003150988.tif 000005
【図４】
0003150988.tif 000006
【図５】
0003150988.tif 000007
【図６】
0003150988.tif 000008
【図７】
0003150988.tif 000009